(57)【要約】【課題】あらゆる回転刃の周りに切粉が飛散するのを予防でき、しかも作業現場で簡便に使用できる切粉受けカバーを提供する。【解決手段】切粉受けカバー１０は、出力軸１を本体ヘッド２から突出した回転機３に取付けられるものであり、出力軸１に接続された回転刃４の周りを囲繞する伸縮フード５と、回転機３の本体ヘッド２に伸縮フード５を接続する継手部材６と、伸縮フード５と継手部材６との間に介在し回転刃４の遠心方向に凹形を成す切粉溜め部材７とを備える。出力軸１と回転刃４とはそれぞれの軸方向を一致させている。【選択図】  図１
0003120050.tif 000002
【実用新案登録請求の範囲】
【請求項１】
出力軸を本体から突出した回転機に取付けられる切粉受けカバーであって、
前記出力軸に接続され前記出力軸の軸方向に延びる回転刃の周りを囲繞する伸縮フードと、前記回転機の本体に前記伸縮フードを接続する継手部材と、前記伸縮フードと前記継手部材との間に介在し前記回転刃の遠心方向に凹形を成す切粉溜め部材とを備えることを特徴とする切粉受けカバー。
【請求項２】
出力軸を本体から突出した回転機に取付けられる切粉受けカバーであって、
前記出力軸に接続され前記出力軸の軸方向に延びる回転刃の周りを囲繞する伸縮フードと、前記回転機の本体に前記伸縮フードを接続する継手部材とを備え、前記伸縮フードと前記継手部材との間に、前記回転刃の周りに切粉を溜める空隙を確保したことを特徴とする切粉受けカバー。
【請求項３】
前記伸縮フードは、先端及び後端を有する蛇腹管を、前記先端と後端との間で切断することにより、前記回転刃の軸方向の全長に相当する長さに成形されることを特徴とする請求項１又は２に記載の切粉受けカバー。
【請求項４】
前記伸縮フードは、内周面、先端、及び後端を有し、互いに前記軸方向から対面する前方傾斜面と後方傾斜面との間に画定される周溝を前記内周面に形成し、且つ前記前方傾斜面と前記後方傾斜面とが、前記先端から後端へ向って起伏を繰り返す蛇腹管であり、
前記前方傾斜面が前記軸方向に対して傾く前方傾斜角度を、前記後方傾斜面が前記軸方向に対して傾く後方傾斜角度より大きく設定したことを特徴とする請求項１又は２に記載の切粉受けカバー。
【請求項５】
前記伸縮フードは、前記回転刃を内側に挿通させる口縁枠と、前記口縁枠を前記継手部材に前記軸方向へ変位自在に接続する弾性体と、前記口縁枠と前記継手部材との間を密閉する可撓筒体とを備えることを特徴とする請求項１又は２に記載の切粉受けカバー。
【請求項６】
前記伸縮フードは、透明な周面部を有し、前記軸方向に沿って延びる基準線を、前記周面部に付したことを特徴とする請求項１から５の何れかに記載の切粉受けカバー。
【考案の詳細な説明】
【技術分野】
【０００１】
本考案は、ドリル、ホールソー、又はコアドリル（以下で「回転刃」と総称する。）を用いて穿孔作業を行う際に、回転刃の周りに飛散する切粉を受け留める切粉受けカバーに関する。
【背景技術】
【０００２】
図９に示す回転機３は、作業者が片手で把持できるグリップ３１、及びバッテリー３２を備えており、「ハンディドリル」等と呼ばれるものである。回転機３は、その本体ヘッド２から出力軸１を突出し、出力軸１にチャックを介して回転刃４が着脱自在に取付けられている。回転機３を用いて天井板、石膏ボード、壁パネル、又は壁板Ｗに穿孔する場合に、回転刃４の根元部に取付けたカバー８０により、回転刃４の周りに切粉が飛散するのを防止する試みがある。この他、下記の特許文献には、回転刃の周囲をカバー等で覆う技術が開示されている。
【特許文献１】特開昭６１−２１９５０９号公報
【特許文献２】特開平０６−２７０００５号公報
【考案の開示】
【考案が解決しようとする課題】
【０００３】
しかしながら、複数の箇所を順に穿孔する場合、先ず一箇所の穿孔作業を行った後、作業員が、回転機３を他所へ移動させようとして、図１０に示すように、回転機３の本体ヘッド２を不用意に下向きにすると、カバー８０の中に溜まった切粉が床等に落下し、又は切粉が作業員の目に入るという不具合が起こる。特に、足場等に登って穿孔作業を行う場合、１回の穿孔作業を行う毎に、カバー８０の中の切粉を排除することは困難であるので、作業員は足場等に１度登れば数回の穿孔作業を続けて行わなければならない。このため、過度に多くの切粉がカバー８０に溜まるので、作業員が回転機３の本体ヘッド２を水平に向けた状態、例えば回転機３を壁板Ｗから離した直後に、上記の不具合が起こる。
【０００４】
また、図１０には、回転刃４がカバー８０から突出した形態を表している。本来は、回転刃４の刃先をカバー８０の内方へ僅かに後退させるのが望ましいが、市販されている回転刃４は極めて多様であり、その全長は必ずしも既成のカバー８０より短いとは限らない。上記のようにカバー８０から突出した回転刃４を壁板Ｗに切り込ませると、回転刃４の周りに飛散した切粉が、カバー８０と壁板Ｗとの間を通り抜けることになり、上記の不具合が起こる。
【０００５】
また、回転刃４の根元部にカバー８０を取付ける構造は、回転刃４と共にカバー８０が回転する危険性がある。これは、回転刃４とカバー８０との間にベアリング等を介在して、回転刃４のトルクがカバー８０に直接伝わるのを防止することで、ある程度は回避できるが、回転刃４とカバー８０との機械的な接続を完全に遮断するには至らない。
【０００６】
本考案は、上記の実情に鑑みて成されたものであり、あらゆる回転刃の周りに切粉が飛散するのを予防でき、しかも作業現場で簡便に使用できる切粉受けカバーを提供することを目的とする。
【課題を解決するための手段】
【０００７】
本発明は、出力軸を本体から突出した回転機に取付けられる切粉受けカバーに係るものであって、前記出力軸に接続され前記出力軸の軸方向に延びる回転刃の周りを囲繞する伸縮フードと、前記回転機の本体に前記伸縮フードを接続する継手部材と、前記伸縮フードと前記継手部材との間に介在し前記回転刃の遠心方向に凹形を成す切粉溜め部材とを備えることを特徴とする。
【０００８】
本発明は、出力軸を本体から突出した回転機に取付けられる切粉受けカバーに係るものであって、前記出力軸に接続され前記出力軸の軸方向に延びる回転刃の周りを囲繞する伸縮フードと、前記回転機の本体に前記伸縮フードを接続する継手部材とを備え、前記伸縮フードと前記継手部材との間に、前記回転刃の周りに切粉を溜める空隙を確保したことを特徴とする。
【０００９】
前記伸縮フードは、先端及び後端を有する蛇腹管を、前記先端と後端との間で切断することにより、前記回転刃の軸方向の全長に相当する長さに成形されるものであることが好ましい。
【００１０】
また、前記伸縮フードは、内周面、先端、及び後端を有し、互いに前記軸方向から対面する前方傾斜面と後方傾斜面との間に画定される周溝を前記内周面に形成し、且つ前記前方傾斜面と前記後方傾斜面とが、前記先端から後端へ向って起伏を繰り返す蛇腹管であり、前記前方傾斜面が前記軸方向に対して傾く前方傾斜角度を、前記後方傾斜面が前記軸方向に対して傾く後方傾斜角度より大きく設定したものであっても良い。
【００１１】
或いは、前記伸縮フードは、前記回転刃を内側に挿通させる口縁枠と、前記口縁枠を前記継手部材に前記軸方向へ変位自在に接続する弾性体と、前記口縁枠と前記継手部材との間を密閉する可撓筒体とを備えることを特徴とする。
【００１２】
以上に述べた伸縮フードは、透明な周面部を有し、前記軸方向に沿って延びる基準線を、前記周面部に付したものであっても良い。
【考案の効果】
【００１３】
本考案に係る切粉受けカバーによれば、例えば壁板の穿孔作業を行う際に、回転刃の周りを伸縮フードで囲繞することにより、回転刃の周りに飛散しようとする切粉を受け止めることができる。そして、穿孔作業が終了したところで、作業者が伸縮フードを上向きに傾けると、伸縮フードの中の切粉が切粉溜め部材へ滑落する。この後、作業員が伸縮フードを誤って下向きにしても、切粉が直ちに切粉溜め部材から蛇腹管へ向って逆流することはないので、切粉が床等に落下することはなく、又は切粉が作業員の目に入るという不具合も起こらない。
【００１４】
更に、伸縮フードを構成する蛇腹管を、その先端と後端との間で切断することにより、蛇腹管の長さを、回転刃の軸方向の全長に相当する長さとなるよう調節できる。従って、当該切粉受けカバーによれば、あらゆる回転刃の周りを伸縮フードで確実に囲繞できるので、回転刃の仕様に関わらず、上記の効果を達成することができる。
【００１５】
更に、伸縮フードは、軸方向に沿って延びる基準線を、透明な周面部に付したものであるので、例えば壁板の穿孔作業に先立って、同壁板の穿孔すべき位置に付された罫書き線に基準線を合致させることにより、回転刃の中心を所望に位置決めできる。また、基準線の周面部における配置は蛇腹管を何処で切断しても変わらないので、基準線による上記の位置決めは、蛇腹管を切断する箇所に関わらず達成できる。
【００１６】
また、前方傾斜面と後方傾斜面とが先端から後端へ向って互いに起伏を繰り返す蛇腹管を、伸縮フードとして適用した場合、次の利点が得られる。蛇腹管の周溝の前方傾斜面が軸方向に対して傾く前方傾斜角度は、後方傾斜面が軸方向に対して傾く後方傾斜角度よりも大きく設定さているので、作業者が伸縮フードを上向きにすれば、蛇腹管の中の切粉は、後方傾斜面に沿って切粉溜め部材へ速やかに滑落する。反対に、作業員が伸縮フードを誤って下向きにしても、切粉が蛇腹管の先端へ向かうのを前方傾斜面によって阻止することができる。
【００１７】
また、本考案に係る切粉受けカバーに適用した伸縮フードは、口縁枠を継手部材に弾性体を介して接続し、口縁枠と継手部材との間を可撓筒体で密閉したものであるので、回転刃の周りを可撓筒体で囲繞することにより、穿孔作業に伴なって回転刃の周りに飛散しようとする切粉を受け止めることができる。更に、回転刃が壁板に没入するに従って弾性体が撓むので、口縁枠と継手部材との間隔が短縮する。そして、回転刃が壁板を貫通したところで、作業者が回転刃を壁板から引き抜けば、穿孔作業が終了する。この時点で弾性体が復元する。
【考案を実施するための最良の形態】
【００１８】
本考案に係る切粉受けカバーについて図面を参照しながら説明する。図中の各要素は説明の便宜を優先してアウトスケールで表示しており、実際の寸法に基づくものではない。また、従来例として述べた要素、及び以下の各実施例で共通する要素には、それぞれの図示の有無に関わらず、重複した説明を避けるため、同じ符号又は同じ呼称を用いる。
【実施例１】
【００１９】
図１に示すように、切粉受けカバー１０は、出力軸１を本体ヘッド２から突出した回転機３に取付けられるものであり、出力軸１に接続された回転刃４の周りを囲繞する伸縮フード５と、回転機３の本体ヘッド２に伸縮フード５を接続する継手部材６と、伸縮フード５と継手部材６との間に介在し回転刃４の遠心方向に凹形を成す切粉溜め部材７とを備える。
【００２０】
出力軸１と回転刃４とはそれぞれの軸方向を一致させている。また、特に断らない限り「接続」とは、一の部材の内側に他の部材を嵌め込むこと、一の部材の雄ねじを他の部材の雌ねじに螺合すること、或いは、２つの部材をボルト、バンド、又は粘着テープ等で結束することを意味する。
【００２１】
伸縮フード５は、先端８１及び後端８２を有する長尺な蛇腹管８を主体とし、先端８１から後端８２までの全長は約５〜６０ｃｍに設定されている。実際に、切粉受けカバー１０を使用するときには、蛇腹管８を先端８１と後端８２との間の適所にて切断することにより、蛇腹管８を回転刃４の軸方向の全長に相当する長さに成形する。言い換えると、回転刃４の全体を囲繞できる形状となるよう蛇腹管８を成形する。ここで、回転刃４の軸方向の全長とは、図示の通り継手部材６に回転機３の本体ヘッド２を接続した状態で、蛇腹管８の切り口である伸縮フード５の口縁５１よりも回転刃４の刃先が僅かに後退、或いは、伸縮フード５の口縁５１と回転刃４の刃先とが図中で重なるような蛇腹管８の長さを意味する。
【００２２】
伸縮フード５の材質としては、弾性に富んだ合成樹脂又はゴム等が好ましい。また、伸縮フード５に透明な材質を適用すれば、その周面部５２を透して作業員は伸縮フード５の外側から回転刃４を目視することができる。この場合、図２（ａ）に示すように、伸縮フード５の周面部５２に、回転刃４の軸方向に沿って延びる４本の基準線９を、互いに９０°の等ピッチで割り付ける。そして、同図（ｂ）に示すように、穿孔作業に先立って壁板Ｗに付された十字の罫書き線に、４本の基準線９をそれぞれ合致させることにより、点Ｏで指した回転刃４の中心を、罫書き線の交点に容易且つ正確に位置決めできる。従って、上記の壁板Ｗにポンチを打つ作業を省略しても良い。
【００２３】
また、４本の基準線９の配置は、蛇腹管８を先端８１と後端８２との間の何処で切断しても同じなので、４本の基準線９による位置決めは、蛇腹管８を切断する箇所に関わらず達成できる。同図（ｃ）は、３本の基準線９を１２０°の等ピッチで周面部５２に付した例を示している。
【００２４】
図１に示すように、切粉溜め部材７は、蛇腹管８の後端８２付近を回転刃４の遠心方向に膨らませることにより、後端８２付近の内部の容積を積極的の増大させた部位である。同図では、蛇腹管８、切粉溜め部材７、及び継手部材６を一体物として表しているが、個々の要素を別ピースとして成形し、これらを互いに着脱自在に接合しても良い。
【００２５】
継手部材６は、適度に弾性変形できる筒体であり、その内側に回転機３の本体ヘッド２を着脱自在に嵌め込むことができる。一般に普及している回転機３の形態は多様であるため、本体ヘッド２の断面は円形に限らず、四角形やその他の多角形に近いのものがある。このような本体ヘッド２の断面の形状に照らして、継手部材６を適宜に変形、又は交換できるように、数種の継手部材６を準備しておくことが望ましい。
【００２６】
切粉受けカバー１０を取付けた回転機３で穿孔作業を行うには、例えば壁板Ｗに回転刃４の刃先を押付ける。この状態で、伸縮フード５の口縁５１が壁板Ｗに密接するので、回転刃４の周りに飛散しようとする切粉は、伸縮フード５によって確実に受け止められる。作業者が回転刃４を壁板Ｗに更に強く押付けると、回転刃４が壁板Ｗに徐々に没入し、これに従って蛇腹管８が短縮する。
【００２７】
続いて、回転刃４が壁板Ｗを貫通したところで、作業者が回転刃４を壁板Ｗから引き抜けば、図３（ａ）に示すように穿孔作業が終了する。この時点で、蛇腹管８が伸長し自然長に復元する。回転刃４としてドリルを適用した場合、ドリルはホールソーに比べて穿孔時に切り込むストロークが深いので、弾性的に伸縮できる範囲の広い蛇腹管８は、伸縮フード５の最適な素材である。
【００２８】
また、穿孔作業が終了した後、同図（ｂ）に示すように、作業者が回転機３の本体ヘッド２と共に伸縮フード５を上向きにするだけで、蛇腹管８の下側に集まった殆どの切粉は切粉溜め部材７へ滑落し、切粉溜め部材７に蓄積されることになる。このとき、蛇腹管８の周溝８３に落ち込んだ僅かな切粉は、溜め部材７へ滑落しないで蛇腹管８に残留するが、作業員が回転機３の本体ヘッド２と共に伸縮フード５を誤って下向きにしても、切粉溜め部材７、及び蛇腹管８の中の切粉が、直ちに伸縮フード５の口縁５１から落下することはない。
【００２９】
以上に述べた穿孔作業は、回転刃４の軸方向を水平方向に向けて行ったが、天井板に穿孔する場合のように、回転刃４の軸方向を鉛直方向に向けて穿孔作業する場合には、同作業の最中に、切粉溜め部材７に切粉が自然に集まるので、作業者は穿孔作業が終了した時点で回転機３の本体ヘッド２の向きを意識する必要はない。また、足場等に１度登った作業員がそのまま数回の穿孔作業を続けて行う場合でも、数回の穿孔作業に伴ない発生する切粉を切粉溜め部材７に蓄積できる。このため、蛇腹管８の中に過度に溜まった切粉が、蛇腹管８から落下することはなく、又は作業員の目に入る惧れがない。
【００３０】
また、切粉受けカバー１０は、継手部材６を回転機３の本体ヘッド２に接続する構造であるので、回転刃４と共に蛇腹管８が回転する危険性が全くない。このため、穿孔作業の最中に回転機３の本体ヘッド２が回転刃４の反力を受けて不意に回転しないように、作業者が本体ヘッド２付近を直に、又はハンドルを介して握る必要があっても、作業者は蛇腹管８に手が触れないよう細心の注意を払わなくて良い。
【００３１】
また、切粉受けカバー１０は、図１に示した形態に限定されるものではなく、回転刃４の周りに切粉を溜める空隙を確保できるならば、切粉溜め部材７を省略して、蛇腹管８の内部の後端８２付近、又は継手部材６の内部に切粉を溜めるようにしても良い。
【実施例２】
【００３２】
本実施例に係る切粉受けカバー２０は、伸縮フード５として、図４に示す蛇腹管１１を適用したものである。蛇腹管１１に透明の材料を適用し、その周面部に基準線９を付しても良い。また、蛇腹管１１の当初の全長を上記のように約５〜６０ｃｍに設定しておき、これを所望の長さに切断しても良い。
【００３３】
蛇腹管１１は、図５（ａ），（ｂ）に示すように、互いに軸方向から対面する前方傾斜面１２と後方傾斜面１３との間に画定される周溝１４を内周面に複数形成したものである。前方傾斜面１２と後方傾斜面１３とは、先端８１から後端８２へ向って蛇腹管１１の内周面が起伏を繰り返すものである。
【００３４】
切粉受けカバー２０を取付けた回転機３で穿孔作業を行うには、例えば壁板Ｗに回転刃４の刃先を押付ける。この状態で、図５（ａ）に示すように、伸縮フード５の口縁５１が壁板Ｗに密接する。作業者が回転刃４を壁板Ｗに更に強く押付けると、回転刃４が壁板Ｗに徐々に没入し、これに従って蛇腹管１１が短縮する。そして、回転刃４が壁板Ｗを貫通したところで、作業者が回転刃４を壁板Ｗから引き抜けば、同図（ｂ）に示すように穿孔作業が終了する。この時点で、蛇腹管１１が自然長に復元し、その周溝１４の下側に切粉が集まる。
【００３５】
また、周溝１４の前方傾斜面１２が軸方向に対して傾く前方傾斜角度θ１は、後方傾斜面１３が軸方向に対して傾く後方傾斜角度θ２よりも大きく設定さている。従って、作業者が回転機３の本体ヘッド２と共に伸縮フード５を上向きにすれば、上記のように周溝１４に受け止められた切粉は、後方傾斜面１３に沿って切粉溜め部材７へ速やかに滑落する。反対に、作業員が回転機３の本体ヘッド２と共に伸縮フード５を誤って下向きにしても、切粉が伸縮フード５の口縁５１へ向うのを後方傾斜面１３によって阻止できる。この他の構成、又は効果については実施例１と同様である。
【実施例３】
【００３６】
本実施例に係る切粉受けカバー３０は、その伸縮フードを図６，７に示す形態とした点を除いて実施例１と同様である。即ち、伸縮フード５０は、回転刃４を内側に挿通させられる程度の内径を有する口縁枠５２と、口縁枠５２を継手部材６に軸方向へ変位自在に接続する弾性体５３と、口縁枠５２と継手部材６との間を密閉する可撓筒体５４とを備える。口縁枠５２は、円形のものを図示しているが四角形やその他の多角形でも良い。弾性体５３としては、図６に示すの板ばねに限らず、図７に示すコイルばねを適用できる。可撓筒体５４としては薄手の合成樹脂フィルム、紙、又は布等を筒形に成形したものを適用できる。可撓筒体５４は透明であることが好ましく、更には、可撓筒体５４に基準線９を付しても良い。
【００３７】
切粉受けカバー３０を取付けた回転機３で穿孔作業を行うには、例えば壁板Ｗに回転刃４の刃先を押付ける。この状態で、伸縮フード５０の口縁枠５２が壁板Ｗに密接する。符号５５は、口縁枠５２と壁板Ｗとの気密を確保するために、口縁枠５２の端面に貼付けられるパッキン材を指している。作業者が回転刃４を壁板Ｗに強く押付けると、回転刃４が壁板Ｗに徐々に没入する。これに従って弾性体５３が撓むことにより、口縁枠５２が図示の位置から継手部材６に接近するので、口縁枠５２と継手部材６との間隔が短縮する。
【００３８】
続いて、回転刃４が壁板Ｗを貫通したところで、作業者が回転刃４を壁板Ｗから引き抜けば、穿孔作業は終了する。この時点で弾性体５３が復元して口縁枠５２と継手部材６との間隔が伸長することにより、口縁枠５２が図示の位置に復帰する。また、可撓筒体５４は、口縁枠５２と継手部材６との間隔が伸縮するのに伴なって自在に変形できる。また、可撓筒体５４の内側に、ある程度の切粉を溜めるようにしても良い。この他の作用、又は効果については実施例１と同様である。
【００３９】
尚、本考案は、その趣旨を逸脱しない範囲で、当業者の知識に基づき種々なる改良、修正、又は変形を加えて実施しても良く、以下のように実施することもできる。
【００４０】
図８（ａ）に示すように、継手部材６として、互いに軸方向に隔たる一端開口６１、及び他端開口６２を有する複数の筒体６３〜６４を準備する。複数の筒体６３〜６４は、軸方向に整列した状態で互いに隣接する筒体同士の一方に、他方の筒体を接続する（嵌め込む）ことができる。例えば、作業者が筒体６４を用いて回転機３の接続を行う場合は、最小径の筒体６５は使用しない。そして、蛇腹管８に形成した継口部６６に最大径の筒体６３の一端開口６１を接続し、この筒体６３の他端開口６２に、筒体６４の一端開口６１を接続し、次いで筒体６４の他端開口６２に回転機３の本体ヘッド２を接続する。この要領で、筒体６３〜６４の中から選択した何れかの筒体に、回転機３の本体ヘッド２を接続するようにしても良い。
【００４１】
また、図８（ｂ）に示すように、回転刃４として外径が１００ｍｍを超えるようなコアドリルを適用する場合、蛇腹管８の後端開口８４に継手部材６を着脱自在に接続する。蛇腹管８を継手部材６から取外せば、継手部材６を回転機３の本体ヘッド２に接続したままの状態で、回転刃４を交換するために出力軸１のチャックを緩め、又は同チャックを締付ける作業を行うことができる。更に、継手部材６の半分に相当する部位６７と、ドットを付した残り半分に相当する部位６８とを別ピースとして形成し、これらを着脱自在に接続しても良い。この場合、回転刃４を出力軸１に取付けたままの状態で、蛇腹管８及び継手部材６を、回転機３に接続し、又は回転機３から取外すことができる。
【産業上の利用可能性】
【００４２】
本考案に係る切粉受けカバーは、穿孔を行う対象物については特に限定されず、また回転刃が砥石又は鋸刃であっても上記の効果を達成できる。また、回転機は、必ずしも作業員が手持ちできる仕様に限らず、据付型の工作機械に、当該切粉受けカバーを取付けても良い。
【図面の簡単な説明】
【００４３】
【図１】本考案の実施例１に係る切粉受けカバーを一部破断した側面図、及び回転機の側面図。
【図２】（ａ）は本考案の実施例１に係る切粉受けカバーに適用した伸縮フードの斜視図、（ｂ）はその切り口の端面を示す正面図、（ｃ）はその変形例を示す正面図。
【図３】（ａ）は本考案の実施例１に係る切粉受けカバーを使用した穿孔作業の一の工程例を示す断面図、（ｂ）はその他の工程例を示す断面図。
【図４】本考案の実施例２に係る切粉受けカバーの斜視図、及び回転機の斜視図。
【図５】（ａ）は本考案の実施例２に係る切粉受けカバーを使用した穿孔作業の一の工程例を示す断面図、（ｂ）はその他の工程例を示す断面図。
【図６】本考案の実施例３に係る切粉受けカバーの一の形態を示す分解斜視図。
【図７】本考案の実施例３に係る切粉受けカバーの他の形態を示す分解斜視図。
【図８】（ａ）は本考案の実施例１に係る切粉受けカバーに適用した継手部材の変形例を示す分解斜視図、（ｂ）はその更なる変形例を示す分解斜視図。
【図９】従来例のカバーの断面図、及びそれを取付けた回転機による穿孔作業の一の工程例を示す側面図。
【図１０】従来例のカバーの断面図、及びそれを取付けた回転機による穿孔作業の他の工程例を示す側面図。
【符号の説明】
【００４４】
１：出力軸
２：本体ヘッド（本体）
３：回転機
４：回転刃
５，５０：伸縮フード
６：継手部材
８，１１：蛇腹管
９：基準線
１０，２０，３０：切粉受けカバー
１２：前方傾斜面
１３：後方傾斜面
１４：周溝
５２：口縁枠
５２：周面部
５３：弾性体
５４：可撓筒体
８１：先端
８２：後端
８３：周溝
【図１】
0003120050.tif 000003
【図２】
0003120050.tif 000004
【図３】
0003120050.tif 000005
【図４】
0003120050.tif 000006
【図５】
0003120050.tif 000007
【図６】
0003120050.tif 000008
【図７】
0003120050.tif 000009
【図８】
0003120050.tif 000010
【図９】
0003120050.tif 000011
【図１０】
0003120050.tif 000012